(57)【要約】【課題】インクの浸透性の良いメディア裏面をインクで汚さずに、そのメディア表面に、浸透性に優れたインクを使用して、文字や絵図をプリントできるインクジェットプリンタを提供する。【解決手段】置換手段９０を用いて、プラテン中央部２０を、移動手段６０により、プラテン後部３０から分離させて、プラテン後部３０の前方に移動させる。そして、空隙が生じたインクジェットヘッド１０の走行経路直下のプラテン中央部２０とプラテン後部３０との間に、サブプラテン８０を配置する。そして、そのサブプラテン８０の溝７０又は窪みが設けられたメディア搭載面８２に、インクジェットヘッドのノズル１２から噴射されるインク滴を着弾させるインクの浸透性の良いメディア１１０を搭載する。そして、そのメディア１１０表面に文字や絵図をプリントする。【選択図】        図４
2004322312.tif 000002
【特許請求の範囲】
【請求項１】
プラテン上方を左右方向に走行させるインクジェットヘッドのノズルから噴射させたインク滴をプラテン上に搭載してプラテン上を前方に移動させるメディア表面の所定部位にドット状に着弾させて、該メディア表面に複数のインクのドットの配列からなる文字や絵図をプリントするインクジェットプリンタにおいて、
前記インクジェットヘッドの走行経路直下の平滑なメディア搭載面を持つプラテン中央部が、その後方に連なるプラテン後部と分離可能に接合されて、そのプラテン中央部を、その前方に連なるプラテン前部を伴って、プラテン後部から分離させて、プラテン後部の前方に移動させたり、プラテン後部の方向に移動、復帰させて、プラテン後部に再接合したり可能とする移動手段が設けられ、さらに、インクを流入させる溝又は窪みが設けられたメディア搭載面を持つ、前記プラテン中央部と置換可能なサブプラテンが設けられて、前記移動手段によりプラテン中央部をプラテン後部から分離させてプラテン後部の前方に移動させて空隙が生じたインクジェットヘッドの走行経路直下のプラテン中央部とプラテン後部との間に、前記サブプラテンをプラテン中央部とプラテン後部とに連ねて抜き差し自在に配置して、そのサブプラテンのメディア搭載面に前記インクジェットヘッドのノズルから噴射させたインク滴を着弾させるメディアを搭載したり、逆にそのサブプラテンをインクジェットヘッドの走行経路直下のプラテン中央部とプラテン後部との間から抜き取って、前記移動手段によりプラテン中央部をインクジェットヘッドの走行経路直下に移動、復帰させて、そのプラテン中央部をプラテン後部に再接合したり可能とする置換手段が備えられたことを特徴とするインクジェットプリンタ。
【請求項２】
前記プラテン中央部のメディア搭載面に搭載されたメディアを加熱するヒータが備えられると共に、前記プラテン後部のメディア搭載面に搭載されたメディアを予備加熱するプリヒータが備えられた請求項１記載のインクジェットプリンタ。
【請求項３】
前記プラテン中央部のメディア搭載面と該搭載面に搭載されたメディアとの間に介在する空気を吸引して、そのメディアを、大気圧を利用して、プラテン中央部のメディア搭載面に吸着させる吸着手段が備えられた請求項１又は２記載のインクジェットプリンタ。
【発明の詳細な説明】
【０００１】
【発明の属する技術分野】
本発明は、シート等のメディア表面に複数のインクのドットの配列からなる文字や絵図をプリントするインクジェットプリンタに関する。
【０００２】
【従来の技術】
上記インクジェットプリンタは、プラテン上方を左右方向に走行させるインクジェットヘッドのノズルから噴射させたインク滴をプラテン上に搭載してプラテン上を前方に移動させるメディア表面の所定部位にドット状に着弾させている。そして、そのメディア表面に複数のインクのドットの配列からなる文字や絵図をプリントしている。
【０００３】
このインクジェットプリンタにおいて、メディアにインクの浸透性の良い薄いシートやメッシュターポリンと呼ばれるシート（以下、纏めてメッシュシートという）等を用いた場合には、そのインクジェットヘッドのノズルから噴射させてメディア表面にドット状に着弾させたインク滴の一部のインクが、メディアを透過して、メディア裏面が接するプラテンのメディア搭載面に付着してしまうことがあった。そして、そのインクで、プラテン上に搭載してプラテン上を前方に移動させるメディア裏面を汚してしまうことがあった。
ここで、メッシュターポリンと呼ばれるシートは、その表面に多数の微細な小孔がランダムに設けられている。そのために、光にかざす等すると、その裏側の景色が、透けて見える。このメッシュターポリンは、視界を遮らないために、宣伝用の文字や絵図がプリントされて、店舗のウインドに貼り付けられるシート等に用られる。
そのために、そのようなインクの浸透性の良いメッシュシート等のメディアに文字や絵図をプリントする場合には、従来は、そのメディア裏面にインクの染み込み防止用の裏紙を剥離可能に予め貼着している。そして、その裏紙が貼着されたメディア表面に、文字や絵図をプリントしている。そして、そのメディア表面にドット状に着弾させたインク滴の一部のインクが、メディアを透過して、プラテンのメディア搭載面に付着するのを、防いでいる。メディア表面に文字や絵図をプリントし終わった後には、そのメディア裏面から、裏紙を剥ぎ取っている。
従って、そのようなインクの浸透性の良いメッシュシート等のメディア表面にインクジェットプリンタを用いて文字や絵図をプリントする際には、多大な手数と時間を要した。
【０００４】
このような課題を解消可能なプリンタとして、近時、インクジェットヘッドの走行経路直下に位置するプラテンのメディア搭載面に、インクを溜める溝が設けられたインクジェットプリンタが開発され、使用されている。
このプリンタによれば、インクジェットヘッドのノズルから噴射されてメディア表面にドット状に着弾したインク滴の一部のインクが、メディアを透過して、メディア裏側に達した際に、そのインクを、インクジェットヘッドの走行経路直下のプラテンのメディア搭載面に設けられた溝内側に流入させて排除できる。そして、そのインクが、溝上端に位置するプラテンのメディア搭載面に付着するのを、防ぐことができる。そして、そのインクで、プラテンのメディア搭載面に搭載されたメディア裏面が汚れるのを、防ぐことができる。
そのために、このプリンタを用いれば、前記のようなインクの浸透性の良いメッシュシート等のメディアに文字や絵図をプリントする際に、そのメディア裏面に、インクの染み込み防止用の裏紙を貼る必要をなくすことができる。そして、そのメッシュシート等のメディアに文字や絵図を手数を掛けずに容易かつ迅速にプリントできる。
【０００５】
【発明が解決しようとする課題】
しかしながら、そのようなインクジェットプリンタにおいては、そのメディア搭載面に設けられた溝が邪魔をして、プラテン上に搭載されたシート等のメディアを、プラテン上を前方に円滑に移動させることができなかったり、その溝が設けられたプラテン搭載面にシート等のメディアを凹凸なく平面状に搭載できなかったりすることがあった。そして、その溝が設けられたメディア搭載面に搭載されたメディア表面の所望部位に、インクジェットヘッドのノズルから噴射させたインク滴を正確に着弾させることができずに、そのメディア表面にプリントされる文字や絵図に歪みが生じてしまうことがあった。
【０００６】
また、有機溶剤に色素顔料又は色素染料を溶かした浸透性に優れたインクを使用するインクジェットプリンタでは、そのプラテンのメディア搭載面に搭載されたメディアを加熱するヒータを、そのメディア搭載面直下のプラテン内側に内蔵させている。有機溶剤が用いられたインクは、耐水性、耐候性に優れているために、屋外展示用のポスター等に文字や絵図をプリントするのに好適である。
この浸透性に優れたインクを使用するインクジェットプリンタにおいては、そのインクジェットヘッドのノズルから噴射させてメディア表面にドット状に着弾させた有機溶剤が用いられた浸透性に優れたインク滴を、メディア搭載面直下のプラテン内側に内蔵させたヒータにより加熱している。そして、そのインク滴のインクに含まれる有機溶剤を素早く蒸発させている。そして、そのインク滴を素早く乾燥させてメディア表面に定着させている。そして、そのインク滴のインクが、その着弾箇所周囲のメディア部分に広く浸透するのを、防いでいる。そして、そのメディア表面にドット状に着弾させたインク滴によりプリントされる文字や絵図が滲んでぼやけるのを、防いでいる。
【０００７】
ところで、前記のようなプラテンのメディア搭載面に溝が設けられたインクジェットプリンタでは、上記のようなヒータを、そのメディア搭載面直下のプラテン内側に設けようとすると、そのメディア搭載面に設けられた溝が邪魔となって、そのヒータを、プラテンに内蔵させることができなかった。そして、そのメディア搭載面に搭載されたメディア表面にドット状に着弾させたインク滴を、プラテンに内蔵されたヒータにより素早く乾燥させることができなかった。そして、そのメディア表面にプリントされる文字や絵図が滲んでぼやけるのを、防ぐことができなかった。
そのために、前記のようなプラテンのメディア搭載面に溝が設けられたプリンタにおいては、有機溶剤が用いられた浸透性に優れたインクを使用することができなかった。そして、インクの浸透性の良いメッシュシート等のメディア表面に、耐水性、耐候性に優れた屋外展示用のポスター用等の文字や絵図をプリントすることができなかった。
【０００８】
本発明は、このような課題を解消可能な、インクの浸透性の良いメッシュシート等のメディア裏面に裏紙を貼着せずとも、そのメディア裏面をインクで汚さずに、そのメディア表面に文字や絵図をプリントできると共に、有機溶剤等が用いられた浸透性に優れたインクを使用して、インクの浸透性の良いメッシュシート等のメディア表面に耐水性、耐候性のある滲みのない鮮明な文字や絵図をプリントできるインクジェットプリンタを提供することを目的としている。
【０００９】
【課題を解決するための手段】
このような目的を達成するために、本発明のインクジェットプリンタは、インクジェットヘッドの走行経路直下の平滑なメディア搭載面を持つプラテン中央部が、その後方に連なるプラテン後部と分離可能に接合されている。そして、そのプラテン中央部を、その前方に連なるプラテン前部を伴って、プラテン後部から分離させて、プラテン後部の前方に移動させたり、その前方に移動させたプラテン中央部を、その前方に連なるプラテン前部と共に、プラテン後部の方向に移動、復帰させて、プラテン後部に再接合させたり可能とする移動手段が設けられている。
また、インクを流入させる溝又は窪みが設けられたメディア搭載面を持つ、前記プラテン中央部と置換可能なサブプラテンが設けられている。
さらに、前記移動手段により、プラテン中央部をプラテン後部から分離させて、プラテン後部の前方に移動させて空隙が生じたインクジェットヘッドの走行経路直下のプラテン中央部とプラテン後部との間に、前記サブプラテンをプラテン中央部とプラテン後部とに連ねて抜き差し自在に配置して、そのサブプラテンの溝又は窪みが設けられたメディア搭載面に前記インクジェットヘッドのノズルから噴射させたインク滴を着弾させるメディアを搭載したり、逆にそのサブプラテンをインクジェットヘッドの走行経路直下のプラテン中央部とプラテン後部との間から抜き取って、前記移動手段によりプラテン中央部をインクジェットヘッドの走行経路直下に移動、復帰させて、そのプラテン中央部をプラテン後部に再接合したり可能とする置換手段が備えられている。
【００１０】
このような構成のインクジェットプリンタにおいては、インクの浸透性の良いメッシュシート等のメディア表面に文字や絵図をプリントする場合であって、そのメディア表面に着弾させたインク滴の一部のインクがメディア裏側に浸透する虞れのある場合に、置換手段を用いて、プラテン後部と分離可能に接合されたプラテン中央部を、移動手段により、プラテン後部から分離させて、プラテン前部を伴って、プラテン後部の前方に移動させることができる。そして、そのプラテン中央部を前方に移動させて空隙が生じたインクジェットヘッドの走行経路直下のプラテン中央部とプラテン後部との間に、サブプラテンを、プラテン中央部とプラテン後部とに連ねて抜き差し自在に配置できる。そして、そのサブプラテンの溝又は窪みが設けられたメディア搭載面に前記インクジェットヘッドのノズルから噴射されるインク滴を着弾させるメディアを搭載できる。そして、そのメディア表面にドット状に着弾させたインク滴の一部のインクが、そのメディアを透過して、そのメディア裏側に浸透した際に、そのインクを、サブプラテンのメディア搭載面に設けられた溝又は窪み内側に流入させて排除できる。そして、そのインクが、メディアが搭載された溝又は窪み上端のサブプラテンのメディア搭載面に付着するのを、防ぐことができる。
また逆に、コーティング剤が塗布される等したインクの浸透性が通常以下のメディア表面に文字や絵図をプリントする場合であって、そのメディア表面に着弾させたインク滴の一部のインクがメディア裏側に浸透する虞れのない場合には、置換手段を用いて、上記のサブプラテンを、インクジェットヘッドの走行経路直下のプラテン中央部とプラテン後部との間から抜き取ることができる。そして、プラテン中央部を、移動手段により、プラテン前部を伴って、インクジェットヘッドの走行経路直下に移動、復帰させることができる。そして、そのプラテン中央部を、プラテン後部に再接合できる。そして、そのインクジェットヘッドの直下に位置させたプラテン中央部の溝や窪みのない平滑なメディア搭載面にメディアを凹凸なく平面状に搭載したり、そのプラテン中央部の溝や窪みのない平滑なメディア搭載面上をメディアを前方に引っ掛かりなく円滑に移動させたりできる。そして、そのプラテン中央部の平滑なメディア搭載面に凹凸なく平面状に搭載されたメディア表面の所望部位に、インクジェットヘッドのノズルから噴射させたインク滴を正確に着弾させることができる。そして、そのメディア表面に、歪みのない文字や絵図をプリントできる。
【００１１】
本発明のインクジェットプリンタにおいては、前記プラテン中央部のメディア搭載面に搭載されたメディアを加熱するヒータを備えると共に、前記プラテン後部のメディア搭載面に搭載されたメディアを予備加熱するプリヒータを備えると良い。
そのような構成のインクジェットプリンタによれば、インクジェットヘッドの走行経路直下に位置するプラテン中央部上又はサブプラテン上に送り込まれる前のプラテン後部のメディア搭載面上を通過中のメディアを、上記のプリヒータにより、予備加熱できる。また、その予備加熱されたメディアが、プラテン後部上からプラテン中央部のメディア搭載面上に送り込まれた際や、サブプラテン上からプラテン中央部のメディア搭載面上に送り出された際にも、上記のヒータにより、そのメディアを加熱できる。そして、それらのメディアを予備加熱するプリヒータ及びメディアを加熱するヒータにより、インクジェットヘッドの走行経路直下に位置するプラテン中央部のメディア搭載面又はサブプラテンのメディア搭載面に搭載されたメディア表面にインクジェットヘッドのノズルから噴射させて着弾させたインク滴を、素早く確実に乾燥させることができる。
その結果、そのようなプリヒータ及びヒータが備えられたインクジェットプリンタによれば、有機溶剤等が用いられた浸透性に優れたインクを使用して、インクの浸透性の良いメッシュシート等のメディア表面に文字や絵図をプリントする場合に、前記のようにして、置換手段を用いて、サブプラテンをプラテン中央部とプラテン後部との間に介在させて、そのサブプラテンをインクジェットヘッドの走行経路直下に配置できる。そして、そのサブプラテンのメディア搭載面に搭載されたメディア表面にインクジェットヘッドのノズルから噴射させてドット状に着弾させたインク滴の一部のインクが、浸透性の良いメディアを透過して、そのメディア裏側に達した際に、そのインクを、サブプラテンのメディア搭載面に設けられた溝又は窪み内側に流入させて排除できる。そして、そのインクが、サブプラテンのメディア搭載面に付着するのを、防ぐことができる。そして、そのインクで、メディア裏面が汚れるのを、防ぐことができる。また、プラテン後部上からサブプラテン上に送り込まれるメディアを、プラテン後部のメディア搭載面上を通過中に、プリヒータにより予備加熱できる。そして、そのサブプラテンのメディア搭載面上に送り込まれるメディアを、プリヒータにより予め暖めることができる。そして、その暖められたメディア表面に、インクジェットヘッドのノズルから噴射させた浸透性に優れたインク滴をドット状に着弾させることができる。そして、そのインク滴のインクに含まれる有機溶剤等の多くを、そのメディアに残存している余熱により、素早く蒸発させることができる。そして、そのインク滴の多くのインクを、素早く乾燥させてメディア表面に定着させることができる。そして、そのインク滴の多くのインクが、その着弾箇所周囲のメディア部分に広く浸透したり、メディアを透過して、そのメディア裏側まで浸透したりするのを、防ぐことができる。さらに、サブプラテン上からプラテン中央部のメディア搭載面に送り出されるメディアを、ヒータにより再加熱できる。そして、そのメディア表面に従前にドット状に着弾させた一部未乾燥状態にあるインク滴を確実に素早く完璧に乾燥させてメディア表面に定着させることができる。そして、その浸透性に優れたインク滴が、その着弾箇所周囲のメディア部分に広く浸透するのを、確実に防ぐことができる。そして、その浸透性の良いメッシュシート等のメディア表面に、有機溶剤等が用いられた浸透性に優れたインクを用いて、複数のインクのドットの配列からなる文字や絵図を滲みなく鮮明にプリントすることが可能となる。
【００１２】
本発明のインクジェットプリンタにおいては、前記プラテン中央部のメディア搭載面と該搭載面に搭載されたメディアとの間に介在する空気を吸引して、そのメディアを、大気圧を利用して、プラテン中央部のメディア搭載面に吸着させる吸着手段を備えると良い。
そのような構成のインクジェットプリンタによれば、プラテン中央部のメディア搭載面上に送り込まれたメディアと、その直下のプラテン中央部のメディア搭載面との間に介在する空気を、吸着手段により、吸引できる。そして、そのメディアを、大気圧を利用して、プラテン中央部のメディア搭載面に隙間なく吸着させることができる。そして、そのメディアが、風圧等を受けてプラテン上方に浮き上がるのを、防ぐことができる。そして、そのメディアがインクジェットヘッドのノズル先端に漏れ出したインクに接触して、そのインクでメディア表面が汚れるのを、防ぐことができる。また、そのプラテン中央部のメディア搭載面に凹凸なく隙間なく平面状に吸着さぜたメディア表面の所望部位に、インクジェットヘッドのノズルから噴射させたインク滴を常に正確に着弾させることができる。
【００１３】
【発明の実施の形態】
図１ないし図４は本発明のインクジェットプリンタの好適な実施の形態を示し、図１はその使用状態を示す側面図、図２はその使用状態を示すプラテン部分の拡大断面図、図３はその使用状態を示す側面図、図４はその使用状態を示すプラテン部分の拡大断面図である。以下に、このインクジェットプリンタを説明する。
【００１４】
図のインクジェットプリンタは、図１ないし図４に示されたように、プラテン１００上方を左右方向（図の表裏面方向）に走行させるインクジェットヘッド１０のノズル１２から噴射させたインク滴をプラテン１００上に搭載してプラテン１００上を前方に移動させるメディア１１０表面の所定部位にドット状に着弾させて、該メディア表面に複数のインクのドットの配列からなる文字や絵図をプリントする構造をしている。メディア１１０は、その一部を送りローラ１２０と押えローラ１２２との間に挟み込んで、送りローラ１２０を前方（図の矢印方向）に回転させることにより、プラテン１００上を前方（図の左方向）に移動させている。
【００１５】
以上の構成は、従来のインクジェットプリンタと同様であるが、図のインクジェットプリンタにおいては、図２に示したように、インクジェットヘッド１０の走行経路直下の平滑なメディア搭載面２２を持つプラテン中央部２０が、その後方に連なるプラテン後部３０と分離可能に接合されている。具体的には、ボックス状をしたプラテン中央部２０が、プラテン後部３０と分割された状態で、プラテン後部３０に接合されている。そして、図４に示したように、そのプラテン中央部２０を、その前方に連なるプラテン前部４０を伴って、プラテン後部３０から分離させて、プラテン後部３０の前方にガイド６２上を移動させたり、その前方に移動させたプラテン中央部２０を、図２に示したように、その前方に連なるプラテン前部４０を伴って、プラテン後部３０の方向にガイド６２上を移動、復帰させて、プラテン後部３０に再接合したり可能とする移動手段６０が設けられている。移動手段６０は、プラテン中央部２０を前後に摺動自在に支持する、プラテン１００内側空間に配置されたガイド６２等から構成されている。プラテン後部３０は、プリンタ本体５０に動かぬように支持されている。
【００１６】
また、図４に示したような、インクを流入させる複数の溝又は窪み（図では、溝７０としている）が所定ピッチで並ぶメディア搭載面８２を持つ、プラテン中央部２０と置換可能なサブプラテン８０が設けられている。
【００１７】
さらに、図４に示したように、プラテン中央部２０を、移動手段６０により、プラテン後部３０から分離させて、プラテン前部４０を伴って、プラテン後部３０の前方にガイド６２上を移動させて、空隙が生じたインクジェットヘッド１０の走行経路直下のプラテン中央部２０とプラテン後部３０との間に、サブプラテン８０をプラテン中央部２０とプラテン後部３０とに連ねて抜き差し自在に配置して、そのサブプラテン８０の複数の溝７０又は窪みが並ぶメディア搭載面８２にインクジェットヘッドのノズル１２から噴射させたインク滴を着弾させるメディア１１０を搭載したり、逆に、図２に示したように、そのサブプラテン８０をインクジェットヘッド１０の走行経路直下のプラテン中央部２０とプラテン後部３０との間から抜き取って、プラテン中央部２０を、移動手段６０により、プラテン前部４０を伴って、ガイド６２上をインクジェットヘッド１０の走行経路直下に移動、復帰させて、そのプラテン中央部２０をプラテン後部３０に再接合したり可能とする置換手段９０が備えられている。置換手段９０は、プラテン中央部２０をプラテン前部４０を伴って前後に摺動自在に支持したり、サブプラテン８０をプラテン中央部２０とプラテン後部３０との間に支持したりするガイド６２や、サブプラテン８０をガイド６２上の所定部位に動かぬように位置決め固定する手段（図示せず）や、ガイド６２上を前後に移動させるプラテン中央部２０をガイド６２上の所定部位に動かぬように固定する手段（図示せず）等から構成されている。
【００１８】
図１ないし図４に示されたインクジェットプリンタは、以上のように構成されていて、このような構成のプリンタを用いて、インクの浸透性の良いメッシュシート等のメディア１１０表面に文字や絵図をプリントする場合には、図４に示したように、置換手段９０を用いて、プラテン中央部２０を、移動手段６０により、プラテン後部３０から分離させて、プラテン前部４０を伴って、プラテン後部３０の前方にガイド６２上を移動させる。そして、そのプラテン中央部２０を前方に移動させて空隙が生じたインクジェットヘッド１０の走行経路直下のプラテン中央部２０とプラテン後部３０との間のガイド６２上に、サブプラテン８０を、その前後をプラテン中央部２０とプラテン後部３０とに連ねて抜き差し自在に配置する。そして、そのサブプラテン８０の複数の溝７０又は窪みが並ぶメディア搭載面８２に、インクジェットヘッドのノズル１２から噴射されるインク滴を着弾させるメディア１１０を搭載する。
すると、そのインクジェットヘッド１０の走行経路直下のサブプラテン８０上に搭載されたメディア１１０表面にドット状に着弾させたインク滴の一部のインクが、そのインクの浸透性の良いメディア１１０を透過して、そのメディア１１０裏側に浸透した際に、そのインクを、サブプラテンのメディア搭載面８２に並ぶ複数の溝又は窪み７０内側に流入させて排除できる。そして、そのインクが、メディア１１０が搭載された溝７０又は窪み上端のサブプラテンのメディア搭載面８２に付着するのを、防ぐことができる。そして、そのインクで、サブプラテンのメディア搭載面８２に搭載してサブプラテン８０上を前方に移動させるメディア１１０裏面が汚れるのを、防ぐことができる。
【００１９】
また逆に、このような構成のプリンタを用いて、コーティング剤が塗布される等したインクの浸透性が通常以下のメディア１１０表面に文字や絵図をプリントする場合には、図２に示したように、置換手段９０を用いて、上記のサブプラテン８０を、インクジェットヘッド１０の走行経路直下のプラテン中央部２０とプラテン後部３０との間から抜き取る。そして、プラテン中央部２０を、移動手段６０により、プラテン前部４０を伴って、インクジェットヘッド１０の走行経路直下にガイド６２上を移動、復帰させて、プラテン後部３０に再接合する。
すると、そのインクジェットヘッド１０の走行経路直下に位置させたプラテン中央部の溝や窪みのない平滑なメディア搭載面２２にメディア１１０を凹凸なく平面状に搭載したり、そのプラテン中央部の溝や窪みのない平滑なメディア搭載面２２上をメディア１１０を前方に引っ掛かりなく円滑に移動させたりできる。そして、そのプラテン中央部の平滑なメディア搭載面２２に凹凸なく平面状に搭載されたメディア１１０表面の所望部位に、インクジェットヘッドのノズル１２から噴射させたインク滴を正確に着弾させることができる。そして、そのメディア１１０表面に、歪みのない文字や絵図をプリントできる。
【００２０】
このインクジェットプリンタにおいては、図２や図４に示したように、プラテン中央部のメディア搭載面２２に搭載されたメディア１１０を加熱する電熱式等のヒータ１３０を、そのプラテン中央部２０の内側等に備えると良い。それと共に、プラテン後部のメディア搭載面３２に搭載されたメディア１１０を予備加熱する電熱式等のプリヒータ１４０を、そのプラテン後部３０の内側等に備えると良い。
そして、インクジェットヘッド１０の走行経路直下のプラテン中央部２０上又はサブプラテン８０上に送り込まれる前のプラテン後部のメディア搭載面３２上を通過中のメディア１１０を、プリヒータ１４０により、予備加熱すると良い。また、その予備加熱されたメディア１１０が、プラテン後部３０上からプラテン中央部のメディア搭載面２２上に送り込まれた際や、サブプラテン８０上からプラテン中央部のメディア搭載面２２上に送り出された際にも、ヒータ１３０により、そのメディア１１０を加熱すると良い。そして、それらのメディア１１０を予備加熱するプリヒータ１４０及びメディア１１０を加熱するヒータ１３０により、インクジェットヘッド１０の走行経路直下に位置するプラテン中央部のメディア搭載面２２又はサブプラテンのメディア搭載面８２に搭載されたメディア１１０表面にインクジェットヘッドのノズル１２から噴射させて着弾させたインク滴を、確実に素早く完璧に乾燥させてメディア１１０表面に定着させると良い。そして、そのインク滴が、その着弾箇所周囲のメディア１１０部分に広く浸透するのを、防ぐと良い。そして、そのメディア１１０表面にプリントされる文字や絵図が滲んでぼやけるのを、防ぐと良い。
そして、図１ないし図４に示したプリンタを用いて、有機溶剤等が用いられた浸透性に優れたインクを使用して、インクの浸透性の良いメッシュシート等のメディア１１０であっても、そのメディア１１０裏面にインクの染み込み防止用の裏紙を剥離可能に貼着せずとも、そのメディア１１０裏面をインクで汚さずに、そのメディア１１０表面に耐水性、耐候性に優れた文字や絵図を滲みなく鮮明にプリントできるようにすると良い。
即ち、図１ないし図４に示したプリンタを用いて、有機溶剤等が用いられた浸透性に優れたインクを使用して、インクの浸透性の良いメッシュシート等のメディア１１０表面に文字や絵図をプリントする場合には、図４に示したように、置換手段９０を用いて、プラテン中央部２０とプラテン後部３０との間のインクジェットヘッド１０の走行経路直下に、サブプラテン８０を配置すると良い。そして、そのサブプラテンのメディア搭載面８２に搭載されたメディア１１０表面にインクジェットヘッドのノズル１２から噴射させてドット状に着弾させたインク滴の一部のインクが、浸透性の良いメディア１１０を透過して、そのメディア１１０裏側に達した際に、そのインクを、サブプラテンのメディア搭載面８２に設けられた溝７０又は窪み内側に流入させて排除すると良い。そして、そのインクが、サブプラテンのメディア搭載面８２に付着するのを、防ぐと良い。そして、そのインクで、メディア１１０裏面が汚れるのを、防ぐと良い。また、プラテン後部３０上からサブプラテン８０上に送り込まれるメディア１１０を、プラテン後部のメディア搭載面３２上を通過中に、プリヒータ１４０により予備加熱すると良い。そして、そのサブプラテン８０上に送り込まれるメディア１１０を、予め暖めると良い。そして、その暖められたメディア１１０表面に、インクジェットヘッドのノズル１２から噴射させた有機溶剤等が用いられた浸透性に優れたインク滴をドット状に着弾させると良い。そして、そのインク滴を、その暖められたメディア１１０に残存している余熱により、素早く乾燥させてメディア１１０表面に定着させると良い。そして、そのインク滴の多くのインクが、その着弾箇所周囲のメディア１１０部分に広く浸透したり、メディア１１０を透過して、そのメディア１１０裏側に浸透したりするのを、防ぐと良い。さらに、サブプラテン８０上からプラテン中央部のメディア搭載面２２に送り出されるメディア１１０を、プラテン中央部２０の内側等に内蔵されたヒータ１３０により再加熱すると良い。そして、そのヒータ１３０により、メディア１１０表面にドット状に着弾させた一部未乾燥状態にあるインク滴を確実に素早く完璧に乾燥させてメディア１１０表面に定着させると良い。そして、その浸透性に優れたインク滴が、その着弾箇所周囲のメディア１１０部分に広く浸透するのを、確実に防ぐと良い。そして、その浸透性の良いメッシュシート等のメディア１１０表面に、有機溶剤等が用いられた浸透性に優れたインクを用いて、インクの滲みのない鮮明な文字や絵図をプリントできるようにすると良い。
【００２１】
また、このインクジェットプリンタにおいては、プラテン中央部のメディア搭載面２２と該搭載面に搭載されたメディア１１０との間に介在する空気を吸引して、そのメディア１１０を、大気圧を利用して、プラテン中央部のメディア搭載面２２に吸着させる吸着手段１５０を備えると良い。吸着手段１５０は、図２や図４に示されたように、プラテン中央部のメディア搭載面２２に並べて開口された複数の空気吸引孔１５２と、該空気吸引孔を通して、メディア搭載面２２とメディア１１０との間に介在する空気をボックス状をしたプラテン中央部２０の内側に吸引する、プラテン中央部２０に内蔵された電動式の吸気ファン１５４等から構成すると良い。
そして、図１ないし図４に示したインクジェットプリンタによりメディア１１０表面に文字や絵図をプリントする場合に、プラテン中央部のメディア搭載面２２に送り込まれたメディア１１０又はプラテン中央部のメディア搭載面２２に送り出されたメディア１１０と、その直下のプラテン中央部のメディア搭載面２２との間に介在する空気を、吸着手段の吸気ファン１５４により、プラテン中央部２０の内側に吸引すると良い。そして、そのメディア１１０を、大気圧を利用して、プラテン中央部のメディア搭載面２２に隙間なく吸着させると良い。そして、プラテン１００上に搭載されたメディア１１０が、風圧等を受けて、プラテン１００上方に浮き上がるのを、防ぐと良い。そして、そのメディア１１０がインクジェットヘッドのノズル１２先端に漏れ出したインクに接触して、そのインクでメディア１１０表面が汚れるのを、防ぐと良い。また、そのプラテン中央部のメディア搭載面２２に凹凸なく隙間なく平面状に吸着さぜたメディア１１０表面の所望部位に、インクジェットヘッドのノズル１２から噴射させたインク滴を常に正確に着弾させることができるようにすると良い。
この吸着手段１５０は、メディア１１０が、風圧等を受けて、プラテン１００上方に浮き上がり易い薄い定尺シート等の場合に、有効に作用する。
なお、図１や図３に示したような、長尺シート等のメディア１１０が使用されるプリンタにおいては、そのプラテン１００の前後に配置された巻き戻しローラ１７０及び巻き取りローラ１８０からのテンションが、プラテン１００上に搭載されたメディア１１０に加わる。そして、そのメディア１１０が、プラテン１００上方に浮き上がらぬように、プラテン１００上に押し付けられる。そのために、そのようなプリンタには、上記の吸着手段１５０は、備えずとも良い。
【００２２】
【発明の効果】
以上説明したように、本発明のインクジェットプリンタによれば、有機溶剤に色素顔料又は色素染料を溶かす等した浸透性に優れたインクを用いて、インクの浸透性の良いメッシュシート等のメディア表面に文字や絵図をプリントする場合に、そのメディア裏面にインク染み込み防止用の裏紙を貼着せずとも、そのメディア裏面をインクで汚すことなく、そのメディア表面に滲みのないくっきりとした鮮明な文字や絵図をプリント可能となる。
また、コーティング剤が塗布される等したインクの浸透性が通常以下のメディア表面に文字や絵図をプリントする場合には、メディアをプラテン上に凹凸なく平面状に搭載したり、メディアをプラテン上を前方に引っ掛かりなく円滑に移動させたりして、そのメディア表面に歪みのない美麗な文字や絵図をプリント可能となる。
【図面の簡単な説明】
【図１】本発明のインクジェットプリンタの使用状態を示す側面図である。
【図２】本発明のインクジェットプリンタの使用状態を示すプラテンの拡大断面図である。
【図３】本発明のインクジェットプリンタの使用状態を示す側面図である。
【図４】本発明のインクジェットプリンタの使用状態を示すプラテンの拡大断面図である。
【符号の説明】
１０  インクジェットヘッド
１２  ノズル
２０  プラテン中央部
２２  プラテン中央部のメディア搭載面
３０  プラテン後部
４０  プラテン前部
５０  プリンタ本体
６０  移動手段
７０  溝
８０  サブプラテン
８２  サブプラテンのメディア搭載面
９０  置換手段
１００  プラテン
１１０  メディア
１２０  送りローラ
１２２  押えローラ
１３０  ヒータ
１４０  プリヒータ
１５０  吸着手段
１５２  空気吸引孔
１５４  吸気ファン
１７０  巻き戻しローラ
１８０  巻き取りローラ
【図１】
2004322312.tif 000003
【図２】
2004322312.tif 000004
【図３】
2004322312.tif 000005
【図４】
2004322312.tif 000006